(57)【要約】【課題】機械によるキャッピング操作性を維持しながら人の手による開閉操作性の向上を図ることができるキャップを提供すること。【解決手段】キャップ本体１の筒状壁８の外周面に、上下方向に延びるローレット山９が前記筒状壁８の周方向に一定ピッチで複数形成されたキャップであって、前記ローレット山９として、高いローレット山９Ａと低いローレット山９Ｂとが設けられ、前記低いローレット山９Ｂは前記高いローレット山９Ａよりも外方への突出高さが低くなっており、前記低いローレット山９Ｂが前記周方向に連続して二つ以上並ばず、前記高いローレット山９Ａが前記周方向に連続して四つ以上並ばないように配列されている。【選択図】図１
2015067309.tif 000002
【特許請求の範囲】
【請求項１】
キャップ本体の筒状壁の外周面に、上下方向に延びるローレット山が前記筒状壁の周方向に一定ピッチで複数形成されたキャップであって、
前記ローレット山として、高いローレット山と低いローレット山とが設けられ、前記低いローレット山は前記高いローレット山よりも外方への突出高さが低くなっており、
前記低いローレット山が前記周方向に連続して二つ以上並ばず、前記高いローレット山が前記周方向に連続して四つ以上並ばないように配列されていることを特徴とするキャップ。
【請求項２】
前記低いローレット山は、前記高いローレット山の基部と形状が同一である請求項１に記載のキャップ。
【請求項３】
二つの前記高いローレット山と一つの前記低いローレット山とが前記周方向に交互に繰り返し並んでいる請求項１または２に記載のキャップ。
【発明の詳細な説明】
【技術分野】
【０００１】
本発明は、例えば、キャッピング用チャックにセレーション嵌合されて容器口部に螺合装着されるキャップに関する。
【背景技術】
【０００２】
飲料用容器として使用されるペットボトル等のキャップには、通常、外周面に平目のローレット（ナールとも呼ばれる）が形成されている。このローレットは、主として、キャップの開栓（回動）の際に指に引っ掛かり、キャップを開け易くする意図で形成されている。
【０００３】
ところで、通常のローレットでは、ローレット山がキャップの外周面の周方向に等ピッチで設けられ、各ローレット山の形状は同一とされているため、指に対するローレットの引っ掛かり易さは各ローレット山の形状に左右される。そして、指に引っ掛かり易い形状のローレットは、指に食い込んで痛みを引き起こす傾向がある。また、ローレットが指に引っ掛かり難く、滑り易い形状をしている場合も、消費者がローレットの滑り易さを補うためにより強くキャップを握り、結果として、ローレットが指に食い込む傾向がみられる。すなわち、ローレットが指に引っ掛かり易くても引っ掛かり難くても痛みを引き起こす傾向が認められ、特に、消費者が最初に開栓する際には、タンパーエビデンスバンドのブリッジを切断するための大きなトルクが必要になり、上記の傾向が顕著となる。
【０００４】
そこで、痛みを軽減するために、図４（Ａ）に示すように、ローレット山５１の間隔が広い領域と狭い領域とを周方向に交互に並べたり（特許文献１参照）、図４（Ｂ）に示すように、ローレット山５２を不等辺三角形断面としたり（特許文献２参照）することが考えられる。
【先行技術文献】
【特許文献】
【０００５】
【特許文献１】特開２００８−４４６２９号公報
【特許文献２】特開２００４−１４９１６４号公報
【発明の概要】
【発明が解決しようとする課題】
【０００６】
しかし、図４（Ａ）に示すようにローレット山５１の間隔を不均一にすると、容器口部にキャップを螺合装着するために用いられるキャッピング用チャックは、ローレットにセレーション嵌合するように、周方向に等ピッチで形成されたセレーション溝を有しているので、キャップの巻締時に、ローレットが傷ついたり巻締不良が起きたりする恐れがある。
【０００７】
また、図４（Ｂ）に示すようにローレット山５２を不等辺三角形断面とすると、キャッピングするときにキャッピング用チャックが滑り易くなり、キャッピング不良が発生し易くなるので、キャッピング用チャック（キャッパー）の変更等を余儀なくされる。
【０００８】
本発明は上述の事柄に留意してなされたもので、その目的は、機械によるキャッピング操作性を維持しながら人の手による開閉操作性の向上を図ることができるキャップを提供することにある。
【課題を解決するための手段】
【０００９】
上記目的を達成するために、本発明に係るキャップは、キャップ本体の筒状壁の外周面に、上下方向に延びるローレット山が前記筒状壁の周方向に一定ピッチで複数形成されたキャップであって、前記ローレット山として、高いローレット山と低いローレット山とが設けられ、前記低いローレット山は前記高いローレット山よりも外方への突出高さが低くなっており、前記低いローレット山が前記周方向に連続して二つ以上並ばず、前記高いローレット山が前記周方向に連続して四つ以上並ばないように配列されていることを特徴としている（請求項１）。
【００１０】
上記キャップにおいて、前記低いローレット山は、前記高いローレット山の基部と形状が同一であるとしてもよい（請求項２）。
【００１１】
上記キャップにおいて、二つの前記高いローレット山と一つの前記低いローレット山とが前記周方向に交互に繰り返し並んでいてもよい（請求項３）。
【発明の効果】
【００１２】
本願発明では、機械によるキャッピング操作性を維持しながら人の手による開閉操作性の向上を図ることができるキャップが得られる。
【００１３】
すなわち、本願の各請求項に係る発明のキャップでは、筒状壁の回転方向において低いローレット山に隣接する位置にある高いローレット山が指に引っ掛かり易い部分となることを踏まえて、高いローレット山は筒状壁の周方向に連続して四つ以上並ばず、低いローレット山は筒状壁の周方向に連続して二つ以上並ばないように配列する。これにより、指に引っ掛かり易い高いローレット山どうしの間隔が開き過ぎることを無くして、指に対してローレットが引っ掛かり易く、指が滑り難くなる。そして、このようにローレットに対して指が滑り難いので、指でローレットを強く握る必要がなく、指が痛くなり難いという効果も奏する。
【００１４】
さらに、高いローレット山が筒状壁の周方向に連続して三つまで並ぶことを許容しているのに対して、低いローレット山が筒状壁の周方向に連続して並ばないようにしているので、指において高いローレット山に当たる部分が集中せず分散するので、これによっても指の痛みは軽減されることになる。
【００１５】
しかも、ローレット山は筒状壁の周方向に等ピッチで並び、高いローレット山は低いローレット山と同数かそれより多いので、キャッピング時にローレットの破損が生じ難くなる。すなわち、容器口部にキャップを螺合装着するために用いられるキャッピング用チャックは、ローレット山にセレーション嵌合するように、周方向に等ピッチで形成された均一のセレーション溝をローレット山の同数有している。そして、セレーション溝は主として高いローレット山に接触するので、高いローレット山の数が少ないと、キャッピング時にそれだけ各ローレット山に掛かる負荷が大きくなり、ローレット山の破損が生じ易くなる。しかし、本発明のキャップでは、高いローレット山を低いローレット山と同数かそれより多くしてあるので、キャッピング時に各ローレット山に掛かる負荷ひいてはローレット山が破損する可能性を低く抑えることができる。
【００１６】
請求項２に係る発明のキャップでは、キャッピング用チャックのセレーション溝が高いローレット山にも低いローレット山にも接触するので、ローレット山の破損防止効果を一層高めることができる。
【図面の簡単な説明】
【００１７】
【図１】（Ａ）は、本発明の一実施の形態に係るキャップの構成を概略的に示す片側断面図、（Ｂ）は（Ａ）のＸ−Ｘ線における部分拡大横断面図である。
【図２】前記キャップのキャップ本体の構成を概略的に示す底面図である。
【図３】前記キャップの変形例の構成を概略的に示す部分拡大横断面図である。
【図４】（Ａ）は従来のキャップの一例の構成を示す平面図、（Ｂ）は従来のキャップの他の例の構成を示す部分拡大横断面図である。
【発明を実施するための形態】
【００１８】
本発明の実施の形態について図面を参照しながら以下に説明する。
【００１９】
本実施の形態に係るキャップは、図１（Ａ）に示すように、図示しない容器口部に螺着されるキャップ本体１の下端に複数のブリッジ２を介して環状のバンド（タンパーエビデンスバンド）３が連結されたピルファープルーフキャップである。すなわち、容器口部からキャップ本体１を離脱（螺脱）させる開栓の際にバンド３が容器口部から離脱しないようにするために、バンド３の内側には容器口部の環状突起に係合するフラップ４（図２も参照）が設けられている。従って、開栓の際に、容器口部から離脱するキャップ本体１と離脱しないバンド３とをつなぐブリッジ２は破断する。尚、図１（Ａ）において、５はスリットであり、キャップ本体１とバンド３との境界部分に対してブリッジ２を避けるようにして設けられている。
【００２０】
また、本実施の形態に係るキャップは、合成樹脂製のキャップであって、キャップ本体１内に挿入されて容器口部を密封するパッキン６を備えた所謂２ピースキャップである。すなわち、キャップ本体１とバンド３は合成樹脂からなる一体成形品であり、パッキン６はこれとは別体として成形された合成樹脂製の部材である。
【００２１】
そして、キャップ本体１は、平面視略円形状の天壁部７から垂下する略円筒状の筒状壁８を有し、この筒状壁８の外周面に、上下方向に延びるローレット山９が筒状壁８の周方向に一定ピッチで複数（本例では１２０個）形成されている。
【００２２】
図１（Ａ）及び（Ｂ）に示すように、ローレット山９として、高いローレット山９Ａと低いローレット山９Ｂとが設けられ、低いローレット山９Ｂは高いローレット山９Ａよりも外方への突出高さが低くなっている。本実施形態では、高いローレット山９Ａの高さＨは０．３ｍｍ、低いローレット山９Ｂの高さｈは０．１５ｍｍであり、低いローレット山９Ｂは高いローレット山９Ａの半分の高さとなっている。一方、高いローレット山９Ａと低いローレット山９Ｂの山角度θ１、θ２はともに６０°であり、高いローレット山９Ａの先端面の幅Ｗ１は０．２４ｍｍ、低いローレット山９Ｂの先端面の幅Ｗ２は０．３４ｍｍである。
【００２３】
また、本実施形態では、図１（Ａ）及び（Ｂ）に示すように、二つの高いローレット山９Ａと一つの低いローレット山９Ｂとが筒状壁８の周方向に交互に繰り返し並んでおり、高いローレット山９Ａは筒状壁８の周方向に連続して四つ以上並ばず、低いローレット山９Ｂは筒状壁８の周方向に連続して二つ以上並ばないように配列するのが肝要である。
【００２４】
これは、筒状壁８の回転方向において低いローレット山９Ｂに隣接する位置にある高いローレット山９Ａが指に引っ掛かり易い部分となることを踏まえて、高いローレット山９Ａが筒状壁８の周方向に連続して三つまで並ぶことを許容し、低いローレット山９Ｂが筒状壁８の周方向に連続して並ばないようにすることで、指に引っ掛かり易い高いローレット山９Ａどうしの間隔が開き過ぎることを無くして、指に対してローレット９が引っ掛かり易く、指が滑り難くなるようにするためである。そして、このようにローレット９に対して指が滑り難いので、指でローレット９を強く握る必要がなく、指が痛くなり難いという効果も奏する。
【００２５】
さらに、高いローレット山９Ａが筒状壁８の周方向に連続して三つまで並ぶことを許容しているのに対して、低いローレット山９Ｂが筒状壁８の周方向に連続して並ばないようにしているので、指において高いローレット山９Ａに当たる部分が集中せず分散するので、これによっても指の痛みは軽減されることになる。
【００２６】
しかも、ローレット山９は筒状壁８の周方向に等ピッチで並び、高いローレット山９Ａは低いローレット山９Ｂと同数かそれより多いので、キャッピング時にローレット９の破損が生じ難くなる。すなわち、容器口部にキャップを螺合装着するために用いられるキャッピング用チャックは、ローレット山９にセレーション嵌合するように、周方向に等ピッチで形成された均一のセレーション溝をローレット山９の同数有している。そして、セレーション溝は主として高いローレット山９Ａに接触するので、高いローレット山９Ａの数が少ないと、キャッピング時にそれだけ各ローレット山９Ａに掛かる負荷が大きくなり、ローレット山９Ａの破損が生じ易くなる。しかし、本実施形態では、高いローレット山９Ａを低いローレット山９Ｂと同数かそれより多くしてあるので、キャッピング時に各ローレット山９Ａに掛かる負荷ひいてはローレット山９Ａが破損する可能性を低く抑えることができる。
【００２７】
なお、本発明は、上記の実施の形態に何ら限定されず、本発明の要旨を逸脱しない範囲において種々に変形して実施し得ることは勿論である。例えば、以下のような変形例を挙げることができる。
【００２８】
図１（Ａ）及び（Ｂ）には、二つの高いローレット山９Ａと一つの低いローレット山９Ｂとが筒状壁８の周方向に交互に繰り返し並んでいる例を示したが、これに限らず、例えば、図３に示すように、一つの高いローレット山９Ａと一つの低いローレット山９Ｂとが筒状壁８の周方向に交互に繰り返し並んでいてもよく、三つの高いローレット山９Ａと一つの低いローレット山９Ｂとが筒状壁８の周方向に交互に繰り返し並んでいてもよい。また、高いローレット山９Ａが筒状壁８の周方向に連続しない領域と、連続して二つ並ぶ領域と、連続して三つ並ぶ領域とのうち、何れか二種以上の領域を設けるようにし、これらの領域が筒状壁８の周方向に混在するようにしてもよい。
【００２９】
図１（Ｂ）に示す例では、二種のローレット山９Ａ、９Ｂの山角度θ１、θ２をともに６０°としているが、これに限らず、例えば、図３に示すように、山角度θ１、θ２をともに４０°としてもよい。
【００３０】
低いローレット山９Ｂを、高いローレット山９Ａの基部と形状を同一とし、キャッピング用チャックのセレーション溝が高いローレット山９Ａにも低いローレット山９Ｂにも接触するように構成すれば、ローレット山９Ａの破損防止効果を一層高めることができる。
【００３１】
また、図３に示すように、低いローレット山９Ｂを、高いローレット山９Ａの先端部と形状を同一としてもよい。図３に示す例では、高いローレット山９Ａの先端面の幅Ｗ１と、低いローレット山９Ｂの先端面の幅Ｗ２とを、各々０．３５ｍｍとしてある。
【００３２】
図１（Ｂ）、図３に示す例では、低いローレット山９Ｂの高さを均一（高いローレット山９Ａの半分の高さ）としているが、これに限らず、高いローレット山９Ａより低い範囲において低いローレット山９Ｂの高さを不均一としてもよい。
【００３３】
なお、上記変形例どうしを適宜組み合わせてもよいことはいうまでもない。
【００３４】
ここで、本発明の二種のキャップと従来のキャップとの計三種のキャップについての開栓官能性を被験者実験にて評価した。評価対象は、図１及び図２に示すキャップ（以下、実施例１という）と、図３に示すキャップ（以下、実施例２という）と、低いローレット山９Ｂが全て高いローレット山９Ａになっており他は実施例１，２と同じであるキャップ（以下、従来品という）との計３種のキャップであり、各種キャップを２０個ずつ用意した。被験者は、男女各１０名、合計２０名であり、各被験者に、従来品、実施例１、実施例２の開栓操作を行わせた。評価項目とする開栓官能性は、三種のキャップの開栓の際の手の滑りやすさと開けやすさとの二項目であり、評価方法は、従来品を３点として実施例１，２に対して１点から５点の５段階の点数を付けるものである。この評価結果を表１、表２に示す。
【００３５】
【表１】
2015067309.tif 000003
【００３６】
【表２】
2015067309.tif 000004
【００３７】
ウィルコクソンの順位検定によれば、表１、表２に示す手の滑りやすさ及び開けやすさの両評価項目について、実施例１，２はともに従来品に対し有意に評価点数が上回っている。
【符号の説明】
【００３８】
１    キャップ本体
２    ブリッジ
３    バンド
４    フラップ
５    スリット
６    パッキン
７    天壁部
８    筒状壁
９    ローレット山
９Ａ  高いローレット山
９Ｂ  低いローレット山
Ｈ    高いローレット山の高さ
ｈ    低いローレット山の高さ
Ｗ１  高いローレット山の先端面の幅
Ｗ２  低いローレット山の先端面の幅
θ１  高いローレット山の山角度
θ２  低いローレット山の山角度
５１    ローレット山
５２    ローレット山
【図１】
2015067309.tif 000005
【図２】
2015067309.tif 000006
【図３】
2015067309.tif 000007
【図４】
2015067309.tif 000008